【手続補正書】
【提出日】平成16年9月30日(2004.9.30)
【手続補正１】
【補正対象書類名】特許請求の範囲
【補正対象項目名】全文
【補正方法】変更
【補正の内容】
【特許請求の範囲】
【請求項１】
少なくとも４つの相異なる原色を使用してカラーイメージを表示するカラー液晶ディスプレイ（ＬＣＤ）装置であって、
液晶（ＬＣ）素子のアレイと、
前記カラーイメージに対応する入力を受け取り、前記ＬＣアレイの前記ＬＣ素子を選択的に活動化し、前記カラーイメージのグレイレベル表現に対応する減衰パターンを生成するように適合された駆動回路と、
前記ＬＣ素子のアレイと並べられ、各カラー・サブピクセル・フィルタ素子が前記ＬＣ素子の１つと共に登録されるように前記ＬＣ素子のアレイと共に登録されたカラー・サブピクセル・フィルタ素子のアレイであって、
前記カラーイメージのうち少なくとも一部が、前記少なくとも４つの原色のうち４つ以上を使用して再現される装置。
【請求項２】
前記少なくとも４つの原色が、赤、緑、青、および黄を含む請求項１に記載の装置。
【請求項３】
前記少なくとも４つの原色が少なくとも５つの原色を含み、前記少なくとも４つのタイプのカラー・サブピクセル・フィルタ素子が、少なくとも５つの原色の光をそれぞれ透過する前記少なくとも５つのタイプのカラー・サブピクセル・フィルタ素子を含む請求項１に記載の装置。
【請求項４】
前記少なくとも５つの原色が、赤、緑、青、黄、およびシアンを含む請求項３に記載の装置。
【請求項５】
前記少なくとも５つの原色が少なくとも６つの原色を含み、前記少なくとも５つのタイプのカラー・サブピクセル・フィルタ素子が、少なくとも６つの原色の光をそれぞれ透過する前記少なくとも６つのタイプのカラー・サブピクセル・フィルタ素子を含む請求項３に記載の装置。
【請求項６】
前記少なくとも６つの原色が、赤、緑、青、黄、シアン、およびマゼンタを含む請求項５に記載の装置。
【請求項７】
少なくとも４つの原色イメージのシーケンスを含む時間的に統合されるカラーイメージを表示するカラー液晶ディスプレイ（ＬＣＤ）装置であって、
液晶（ＬＣ）素子のアレイと、
前記少なくとも４つの原色イメージのそれぞれに対応する入力を受け取り、前記ＬＣアレイの前記ＬＣ素子を選択的に活動化し、前記少なくとも４つの原色イメージのグレイレベル表現に対応する減衰パターンをそれぞれ生成するように適合された駆動回路と、
少なくとも４つの相異なる原色の光で前記ＬＣアレイを順次後方照明し、前記少なくとも４つの原色イメージを順次生成するように適合された照明システムとを備え、
前記各減衰パターンが原色イメージに対応する原色光でそれぞれ照明されるように駆動回路と照明システムが同期される装置。
【請求項８】
前記少なくとも４つの原色イメージが、赤、緑、青、および黄色のイメージを含む請求項７に記載の装置。
【請求項９】
前記少なくとも４つの原色イメージが、赤、緑、青、黄、およびシアン色のイメージを含む請求項７に記載の装置。
【請求項１０】
前記少なくとも４つの原色イメージが、赤、緑、青、黄、シアン、およびマゼンタ色のイメージを含む請求項７に記載の装置。
【請求項１１】
前記照明システムが、
出力経路を有する光源と、
前記光源の前記出力経路中に少なくとも４つの相異なる原色フィルタを順次挿入して少なくとも４つの相異なる原色の光をそれぞれ生成するフィルタ切換え機構と、
少なくとも４つの相異なる前記原色光を前記フィルタ切換え機構から前記ＬＣアレイに誘導し、それによって前記ＬＣアレイを後方照明する光学系とを備える請求項７ないし１０のいずれかに記載の装置。
【請求項１２】
前記光源が、ほぼ白色の光源を含む請求項１１に記載の装置。
【請求項１３】
前記照明システムが、
発光ダイオード（ＬＥＤ）のアレイと、
前記ＬＥＤのアレイを選択的に活動化して、少なくとも４つの相異なる前記原色光にそれぞれ対応する少なくとも４つの照明パターンのシーケンスを生成するように適合された照明制御回路と、
前記ＬＥＤのアレイによって生成された少なくとも４つの照明パターンで、概して空間的に均一な前記少なくとも４つの原色光を用いてそれぞれ前記ＬＣアレイを後方照明する光学装置とを備える請求項７ないし１０のいずれかに記載の装置。
【請求項１４】
前記ＬＥＤのアレイが、少なくとも３つの相異なるカラーＬＥＤを含む請求項１３に記載の装置。
【請求項１５】
前記少なくとも３つの相異なるカラーＬＥＤが、赤、緑、および青色のＬＥＤを含む請求項１４に記載の装置。
【請求項１６】
前記少なくとも４つの相異なる照明パターンのうち少なくとも１つが、前記少なくとも３つの相異なるカラーＬＥＤの色以外の原色に対応する請求項１４または１５に記載の装置。
【請求項１７】
前記少なくとも４つの照明パターンのうち少なくとも１つが、前記少なくとも３つの相異なるカラーＬＥＤのうち少なくとも２つを同時に活動化することによって生成される請求項１５または１６に記載の装置。
【請求項１８】
ｎ原色イメージを表示するカラーディスプレイ装置であって、ｎが３よりも大きく、ｎ原色イメージ全体をほぼ覆う周期的な反復的スーパーピクセル構造のアレイとして構成された少なくとも４つの相異なる原色それぞれのサブピクセル素子を含むカラーサブピクセル素子のアレイを有し、各スーパーピクセル構造が、所定の固定数のｎ原色ピクセルを含み、各ｎ原色ピクセルが、前記少なくとも４つの相異なる原色のそれぞれの１カラーサブピクセル素子を含み、前記スーパーピクセル構造の一部だけを覆うｎ原色ピクセルの非固定の組合せを、前記ｎ原色イメージ全体をほぼ覆うように周期的に反復することができるカラーディスプレイ装置。
【請求項１９】
前記カラーサブピクセル素子のアレイが、カラー・サブピクセル・フィルタ素子のアレイを含み、各スーパーピクセルの各ｎ原色ピクセルが、前記少なくとも４つの相異なる原色のそれぞれの光を透過する１つのカラー・サブピクセル・フィルタ素子を含む、ｎ原色液晶ディスプレイ（ＬＣＤ）装置を含む請求項１８に記載のカラーディスプレイ装置。
【請求項２０】
前記少なくとも４つの相異なる原色が、赤、緑、青、および黄を含む請求項１８または１９に記載の装置。
【請求項２１】
前記少なくとも４つの相異なる原色が、少なくとも５つの相異なる原色を含む請求項１８ないし２０のいずれかに記載の装置。
【請求項２２】
前記少なくとも５つの相異なる原色が、赤、緑、青、黄、およびシアンを含む請求項２１に記載の装置。
【請求項２３】
前記スーパーピクセル構造が、各シーケンスが前記５つの原色のうち４つのサブピクセル素子の相異なる組合せをそれぞれ含む４つのサブピクセル素子の５つのシーケンスを含むほぼ矩形の構成を含む請求項２１または２２に記載の装置。
【請求項２４】
前記少なくとも５つの相異なる原色が、少なくとも６つの相異なる原色を含む請求項２１または２２に記載の装置。
【請求項２５】
前記少なくとも６つの相異なる原色が、赤、緑、青、黄、シアン、およびマゼンタを含む請求項２４に記載の装置。
【請求項２６】
前記スーパーピクセル構造が、各シーケンスが前記６つの原色のうち４つのサブピクセル素子の相異なる組合せをそれぞれ含む４つのサブピクセル素子の３つのシーケンスを含むほぼ矩形の構成を含む請求項２４または２５に記載の装置。
【請求項２７】
ｎ原色ディスプレイ上にｎ原色イメージを表示する方法において、ｎが３よりも大きく、ｎ原色ディスプレイが、ｎ原色イメージ全体をほぼ覆う周期的な反復的スーパーピクセル構造のアレイとして構成された少なくとも４つの相異なる原色それぞれのサブピクセル素子を含むカラーサブピクセル素子のアレイを有し、各スーパーピクセル構造が、所定の固定数のｎ原色ピクセルを含み、各ｎ原色ピクセルが、前記少なくとも４つの相異なる原色のそれぞれの１カラーサブピクセル素子を含み、前記スーパーピクセル構造の一部だけを覆うｎ原色ピクセルの非固定の組合せを、ｎ原色イメージ全体をほぼ覆うように周期的に反復することができる方法であって、
複数の３成分ピクセルを含み、第１の解像度を有する３成分カラー・イメージ・データを表す入力を受け取るステップと、
前記３成分カラー・イメージ・データをスケーリングして、前記第１の解像度とは異なる第２の解像度を有するスケーリング済み３成分カラー・イメージ・データを生成するステップと、
前記スケーリング済み３成分カラー・イメージ・データを、前記ｎ原色イメージを表す対応するｎ原色ピクセルデータに変換するステップと、
前記ｎ原色ピクセルデータに対応するｎ原色入力信号を生成するステップとを含む方法。
【請求項２８】
前記ｎ原色入力信号を生成するステップの前に、
各スーパーピクセルのすべてのｎ原色ピクセルの前記ｎ原色ピクセルデータを収集するステップと、
各スーパーピクセル構造を表す前記収集したデータを、各スーパーピクセルの１つのサブピクセルをそれぞれ表す複数のサブピクセル・データ・セグメント内に配布するステップとをさらに含み、
前記ｎ原色入力信号を生成するステップが、前記サブピクセルごとのグレイレベル値を生成するステップを含む請求項２７に記載の方法。
【請求項２９】
前記ｎ原色ディスプレイがｎ原色液晶ディスプレイ（ＬＣＤ）装置を含み、前記カラーサブピクセル素子のアレイが、カラー・サブピクセル・フィルタ素子のアレイを含み、各スーパーピクセルの各ｎ原色ピクセルが、前記少なくとも４つの相異なる原色のそれぞれの光を透過する１つのカラー・サブピクセル・フィルタ素子を含む請求項２７または２８に記載の方法。
【請求項３０】
前記少なくとも４つの相異なる原色が、赤、緑、青、および黄を含む請求項２７ないし２９のいずれかに記載の方法。
【請求項３１】
前記少なくとも４つの相異なる原色が、少なくとも５つの相異なる原色を含む請求項２７ないし３０のいずれかに記載の方法。
【請求項３２】
前記少なくとも５つの相異なる原色が、赤、緑、青、黄、およびシアンを含む請求項３１に記載の方法。
【請求項３３】
前記スーパーピクセル構造が、各シーケンスが前記５つの原色のうち４つのサブピクセル素子の相異なる組合せをそれぞれ含む４つのサブピクセル素子の５つのシーケンスを含むほぼ矩形の構成を含む請求項３１または３２に記載の方法。
【請求項３４】
前記少なくとも５つの相異なる原色が、少なくとも６つの相異なる原色を含む請求項３１に記載の方法。
【請求項３５】
前記少なくとも６つの相異なる原色が、赤、緑、青、黄、シアン、およびマゼンタを含む請求項３４に記載の方法。
【請求項３６】
前記スーパーピクセル構造が、各シーケンスが前記６つの原色のうち４つのサブピクセル素子の相異なる組合せをそれぞれ含む４つのサブピクセル素子の３つのシーケンスを含むほぼ矩形の構成を含む請求項３４または３５に記載の方法。
【請求項３７】
ｎ原色ディスプレイ上にｎ原色イメージを表示する方法において、ｎが６以上であり、ｎ原色ディスプレイが、原色の少なくとも第１組および原色の第２組を含む少なくとも６つの相異なる原色のそれぞれのカラーサブピクセル素子を含む、少なくとも６つの相異なる原色のそれぞれの少なくとも１つのカラーサブピクセル素子を含む周期的に反復する構成として構成されたカラーサブピクセル素子のアレイを有する方法であって、
前記原色の第１組のそれぞれの１つのサブピクセルをそれぞれ含む複数のピクセルを含むイメージデータを表すイメージ入力を受け取るステップと、
前記イメージデータを、前記ピクセルの第１グループを含む第１イメージ成分と、前記ピクセルの第２グループを含む第２イメージ成分に分離するステップであって、前記第１グループ中の各ピクセルが前記第２グループ中のピクセルにそれぞれほぼ隣接するステップと、
前記第２グループ中の前記ピクセルを、前記原色の第２組のそれぞれの１つのサブピクセルをそれぞれ含む対応する変換済みピクセルに変換するステップと、
前記第２グループ中の前記変換済みカラーピクセルのそれぞれと、前記第１グループ中のほぼ隣接するピクセルのそれぞれとに対応するデータを表すｎ原色入力信号を生成するステップとを含む方法。
【請求項３８】
前記少なくとも６つの相異なる原色が、赤、緑、青、黄、シアン、およびマゼンタを含み、前記原色の第１組が、赤、緑、および青を含み、前記原色の第２組が、黄、シアン、およびマゼンタを含む請求項３７に記載の方法。
【請求項３９】
前記ｎ原色入力信号を生成するステップの前に、
前記第２グループ中の前記変換済みピクセルのそれぞれを、前記第１グループのほぼ隣接するピクセルと組み合わせ、前記少なくとも６つの原色のそれぞれの１つのサブピクセルを含む対応するｎ原色ピクセルを生成するステップを含み、前記ｎ原色入力信号を生成するステップが、前記各ｎ原色ピクセルに対応するデータを表す信号を生成するステップを含む請求項３７または３８に記載の方法。
【請求項４０】
前記イメージ入力が、３成分カラー・イメージ・データを表すカラーイメージ入力を含み、前記原色の少なくとも第１組および第２組が、３つの原色の第１組および第２組を含み、前記ｎ原色イメージの各カラーピクセルが、前記３つの原色の第１組または第２組のどちらかによって再現される請求項３７または３８に記載の方法。
【請求項４１】
前記イメージ入力が、複数の白黒ピクセルを含む白黒イメージデータを表す白黒イメージ入力を含む請求項３７または３８に記載の方法。
【請求項４２】
前記原色の少なくとも第１組および第２組が、３つの相補的な原色の第１組および第２組を含み、前記ｎ原色イメージの各白黒ピクセルが、前記原色の第１組または第２組のどちらかによって生成される請求項４１に記載の方法。
【請求項４３】
前記原色の少なくとも第１組および第２組が、相補的な原色の第１対、第２対、および第３対を含み、前記ｎ原色イメージの各白黒ピクセルが、前記原色の第１対、第２対、および第３対のうちの１つによって生成される請求項４１に記載の方法。
【請求項４４】
ｎ原色イメージを表示するカラーディスプレイ装置であって、ｎが６以上であり、少なくとも原色の第１組および原色の第２組を含む少なくとも６つの相異なる原色のそれぞれのカラーサブピクセル素子を含む、少なくとも６つの相異なる原色のそれぞれの少なくとも１つのカラーサブピクセル素子を含む周期的に反復する構成として構成されたカラーサブピクセル素子のアレイを有し、周期的に反復する構成内の各サブピクセルが、相補的な原色の少なくとも１つのサブピクセルに隣接する装置。
【請求項４５】
前記少なくとも６つの相異なる原色が、赤、緑、青、黄、シアン、およびマゼンタを含み、前記原色の第１組が、赤、緑、および青を含み、前記原色の第２組が、黄、シアン、およびマゼンタを含み、各赤色サブピクセル素子が、少なくとも１つのシアンサブピクセル素子に隣接し、各緑色サブピクセル素子が、少なくとも１つのマゼンタサブピクセル素子に隣接し、各青色サブピクセル素子が、少なくとも１つの黄色サブピクセル素子に隣接する請求項４４に記載の装置。
【請求項４６】
前記周期的に反復する構成が、前記原色の第１組のそれぞれのサブピクセル素子の第１シーケンスと、前記原色の第２組のそれぞれのサブピクセル素子の第２シーケンスとを含み、前記第１シーケンス中の各サブピクセル素子が、前記第２シーケンス中の相補的な原色のサブピクセル素子に隣接する請求項４４または４５に記載の装置。
【請求項４７】
前記周期的に反復する構成が、隣接するサブピクセル素子の第１行および第２行を含み、前記第１行が、前記原色の第１組のそれぞれの１つのサブピクセル素子を含み、前記第２行が、前記原色の第２組のそれぞれの１つのサブピクセル素子を含み、前記第１行中の各サブピクセル素子が、前記第２行中の相補的な原色のサブピクセル素子に隣接する請求項４６に記載の装置。
【請求項４８】
前記サブピクセル素子のアレイの各行が、前記原色の第１組のサブピクセルだけを含む請求項４４ないし４７のいずれかに記載の装置。
【請求項４９】
前記サブピクセル素子のアレイの各行が、前記原色の第１組および第２組の両方のサブピクセルを含む請求項４４ないし４７のいずれかに記載の装置。
【請求項５０】
ｎ原色カラーイメージを表示するシステムであって、ｎが３よりも大きく、
ｎ原色イメージ全体をほぼ覆う周期的な反復的スーパーピクセル構造のアレイとして構成された、少なくとも４つの相異なる原色のそれぞれのサブピクセル素子を含むカラーサブピクセル素子のアレイを有するｎ原色カラーディスプレイ装置であって、各スーパーピクセル構造が、所定の固定数のｎ原色ピクセルを含み、各ｎ原色ピクセルが、前記少なくとも４つの相異なる原色のそれぞれの１つのカラー・サブピクセル素子を含み、前記スーパーピクセル構造の一部だけを覆うｎ原色ピクセルの非固定の組合せを、前記ｎ原色イメージ全体をほぼ覆うように周期的に反復することができるｎ原色カラー・ディスプレイ装置と、
複数の３成分ピクセルを含み、第１の解像度を有する３成分カラー・イメージ・データを表す入力を受け取ることができ、前記３成分カラー・イメージ・データをスケーリングして、前記第１の解像度とは異なる第２の解像度を有するスケーリング済み３成分カラー・イメージ・データを生成することができるスケーリング・ユニットと、
前記スケーリング済み３成分カラー・イメージ・データを、前記ｎ原色イメージを表す対応するｎ原色カラー・ピクセル・データに変換することができ、前記ｎ原色カラー・ピクセル・データに対応するｎ原色入力信号を生成することができる変換器とを備えるシステム。
【請求項５１】
各スーパーピクセルのすべてのｎ原色ピクセルのｎ原色カラー・ピクセル・データを収集するための収集ユニットと、
各スーパーピクセル構造を表す前記収集したデータを、前記各スーパーピクセルの１つのサブピクセルをそれぞれ表す複数のサブピクセル・データ・セグメント内に配布するための配布ユニットとをさらに備え、
前記変換器が、前記サブピクセルごとにグレイレベル値を生成することができる請求項５０に記載のシステム。
【請求項５２】
前記ｎ原色ディスプレイ装置がｎ原色液晶ディスプレイ（ＬＣＤ）装置を含み、前記カラーサブピクセル素子のアレイが、カラー・サブピクセル・フィルタ素子のアレイを含み、各スーパーピクセルの各ｎ原色ピクセルが、前記少なくとも４つの異なる原色のそれぞれの光を透過する１つのカラー・サブピクセル・フィルタ素子を含む請求項５０または５１に記載のシステム。
【請求項５３】
前記少なくとも４つの相異なる原色が、赤、緑、青、および黄を含む請求項５０ないし５２のいずれかに記載のシステム。
【請求項５４】
前記少なくとも４つの相異なる原色が、少なくとも５つの相異なる原色を含む請求項５０ないし５３のいずれかに記載のシステム。
【請求項５５】
前記少なくとも５つの相異なる原色が、赤、緑、青、黄、およびシアンを含む請求項５４に記載のシステム。
【請求項５６】
前記スーパーピクセル構造が、各シーケンスが前記５つの原色のうち４つのサブピクセル素子の相異なる組合せをそれぞれ含む４つのサブピクセル素子の５つのシーケンスを含むほぼ矩形の構成を含む請求項５４または５５に記載のシステム。
【請求項５７】
前記少なくとも５つの相異なる原色が、少なくとも６つの相異なる原色を含む請求項５４に記載のシステム。
【請求項５８】
前記少なくとも６つの相異なる原色が、赤、緑、青、黄、シアン、およびマゼンタを含む請求項５７に記載のシステム。
【請求項５９】
前記スーパーピクセル構造が、各シーケンスが前記６つの原色のうち４つのサブピクセル素子の相異なる組合せをそれぞれ含む４つのサブピクセル素子の３つのシーケンスを含むほぼ矩形の構成を含む請求項５７または５８に記載のシステム。
【請求項６０】
ｎ原色イメージを表示するシステムであって、ｎが６以上であり、
少なくとも原色の第１組および原色の第２組を含む少なくとも６つの相異なる原色のそれぞれのカラーサブピクセル素子を含む、前記少なくとも６つの相異なる原色のそれぞれの少なくとも１つのカラーサブピクセル素子を含む周期的に反復する構成として構成されたカラーサブピクセル素子のアレイを有するｎ原色ディスプレイ装置と、
前記原色の第１組のそれぞれの１つのサブピクセルをそれぞれ含む複数のピクセルを含むイメージデータを表すイメージ入力を受け取るイメージ・コレクタと、
前記カラー・イメージ・データを、前記ピクセルの第１グループを含む第１イメージ成分と、前記ピクセルの第２グループを含む第２イメージ成分に分離するためのセパレータであって、前記第１グループ中の各ピクセルが前記第２グループ中のピクセルにそれぞれほぼ隣接するセパレータと、
前記第２グループ中の前記ピクセルを、前記原色の第２組のそれぞれの１つのサブピクセルをそれぞれ含む対応する変換済みピクセルに変換することができ、
前記第２グループ中の前記変換済みカラーピクセルのそれぞれと、前記第１グループ中のほぼ隣接するピクセルのそれぞれとに対応するデータを表すｎ原色入力信号を生成することができる変換器とを備えるシステム。
【請求項６１】
前記少なくとも６つの相異なる原色が、赤、緑、青、黄、シアン、およびマゼンタを含み、前記原色の第１組が、赤、緑、および青を含み、前記原色の第２組が、黄、シアン、およびマゼンタを含む請求項６０に記載のシステム。
【請求項６２】
前記第２グループ中の前記変換済みカラーピクセルのそれぞれを、前記第１グループのほぼ隣接するピクセルと組み合わせ、少なくとも６つの原色のそれぞれの１つのサブピクセルを含む対応するｎ原色ピクセルを生成するピクセル・コンバイナをさらに備え、前記変換器が、前記各ｎ原色ピクセルに対応するデータを表す信号を生成することができる請求項６０または６１に記載のシステム。
【請求項６３】
前記イメージ入力が、３成分カラー・イメージ・データを表すカラーイメージ入力を含み、前記原色の少なくとも第１組および第２組が、３つの原色の第１組および第２組を含み、前記ｎ原色イメージの各カラーピクセルが、前記３つの原色の第１組または第２組のどちらかによって再現される請求項６０または６１に記載のシステム。
【請求項６４】
前記イメージ入力が、複数の白黒ピクセルを含む白黒イメージデータを表す白黒イメージ入力を含む請求項６０または６１に記載のシステム。
【請求項６５】
前記原色の少なくとも第１組および第２組が、３つの相補的な原色の第１組および第２組を含み、前記ｎ原色イメージの各白黒ピクセルが、前記原色の第１組または第２組のどちらかによって生成される請求項６４に記載のシステム。
【請求項６６】
前記原色の少なくとも第１組および第２組が、相補的な原色の第１対、第２対、および第３対を含み、前記ｎ原色イメージの各白黒ピクセルが、前記原色の第１対、第２対、および第３対のうちの１つによって生成される請求項６４に記載のシステム。
【請求項６７】
前記ｎ原色ディスプレイ装置がｎ原色液晶ディスプレイ（ＬＣＤ）装置を含み、前記カラーサブピクセル素子のアレイが、前記少なくとも６つの相異なる原色のそれぞれの光を透過するフィルタ素子を含むカラー・サブピクセル・フィルタ素子のアレイを含む請求項６０ないし６６のいずれかに記載のシステム。
【請求項６８】
前記ｎ原色ディスプレイ装置がｎ原色液晶ディスプレイ（ＬＣＤ）装置を含み、前記カラーサブピクセル素子のアレイが、前記少なくとも６つの相異なる原色のそれぞれの光を透過するフィルタ素子を含むカラー・サブピクセル・フィルタ素子のアレイを含む請求項３７ないし４３のいずれかに記載の方法。
【請求項６９】
前記ｎ原色ディスプレイ装置がｎ原色液晶ディスプレイ（ＬＣＤ）装置を含み、前記カラーサブピクセル素子のアレイが、前記少なくとも６つの相異なる原色のそれぞれの光を透過するフィルタ素子を含むカラー・サブピクセル・フィルタ素子のアレイを含む請求項４４ないし４９のいずれかに記載の方法。
【請求項７０】
前記少なくとも４つの原色の波長範囲が、表示するイメージの最適な全輝度と最適な色域幅の少なくとも一方を提供するように選択される請求項１ないし２６のいずれかに記載の装置。
【請求項７１】
前記少なくとも４つの原色の波長範囲が、表示するイメージの最適な全輝度および最適な色域の少なくとも１つを提供するように選択される請求項２７ないし３６のいずれかに記載の方法。
【請求項７２】
前記少なくとも６つの原色の波長範囲が、表示するイメージの最適な全輝度および最適な色域の少なくとも１つを提供するように選択される請求項３７ないし４３のいずれかに記載の方法。
【請求項７３】
前記少なくとも６つの原色の波長範囲が、表示するイメージの最適な全輝度および最適な色域の少なくとも１つを提供するように選択される請求項４４ないし４９のいずれかに記載の装置。
【請求項７４】
前記少なくとも４つの原色の波長範囲が、表示するイメージの最適な全輝度および最適な色域の少なくとも１つを提供するように選択される請求項５０ないし５９のいずれかに記載のシステム。
【請求項７５】
前記少なくとも６つの原色の波長範囲が、表示するイメージの最適な全輝度および最適な色域の少なくとも１つを提供するように選択される請求項６０ないし６６のいずれかに記載のシステム。
【請求項７６】
ｎ原色イメージを表示するカラーディスプレイ装置であって、ｎが３よりも大きく、ｎ原色イメージ全体をほぼ覆う周期的な反復的スーパーピクセル構造のアレイとして構成された少なくとも４つの相異なる原色それぞれのサブピクセル素子を含むカラーサブピクセル素子のアレイを有し、各スーパーピクセル構造が、所定の固定数のｎ原色ピクセルを含み、各ｎ原色ピクセルが、前記少なくとも４つの相異なる原色のそれぞれの１カラーサブピクセル素子を含み、前記スーパーピクセル構造内の前記サブピクセル素子が、１に十分近い平均アスペクト比を有する矩形のサブアレイとして構成されるカラーディスプレイ装置。
【請求項７７】
前記少なくとも５つの原色が、赤、緑、青、黄、およびマゼンタを含む請求項３に記載の装置。
【請求項７８】
前記少なくとも４つの原色イメージが、赤、緑、青、黄、およびマゼンタのイメージを含む請求項７に記載の装置。